(57)【特許請求の範囲】
【請求項１】
ケーブル接続器において線状に接続されたレセプタクル及びプラグの一方を引き抜くケーブル接続器用引抜工具であって、
先端部及び基端部を有し、前記プラグ及びレセプタクルの一方に係合する第１係合部が当該先端部に設けられ、把持部が当該基端部に設けられたベース部材と、
先端部及び基端部を有し、当該基端部で前記ベース部材或いは把持部に回動自在に軸着されるとともに、当該先端部に、前記プラグ及びレセプタクルの他方に係合する第２係合部が設けられた回動アーム部材と、
を有し、
前記第１係合部及び前記第２係合部が前記プラグ及びレセプタクルのそれぞれに係合した際に、前記ベース部材が、接続された前記レセプタクル及びプラグの軸線に対して、当該ベース部材の先端部側から基端部側に向かって漸次離間して配置されるとともに、前記把持部が前記軸線に対して４５度未満の角度を形成する位置に配置され、
前記第１係合部及び第２係合部は、前記把持部を前記軸線に接近させることにより、互いに離間する方向に移動して前記プラグとレセプタクルとを離間させる、
ケーブル接続器用引抜工具。
【請求項２】
前記ケーブル接続器は、雌端子をゴム系材料からなるレセプタクル外包体によって被覆したレセプタクルと、雄端子をゴム系材料からなるプラグ外包体によって被覆したプラグとを有し、前記レセプタクル外包体及びプラグ外包体の先端部のそれぞれに設けられた互いに嵌合可能な嵌合凸部及び嵌合凹部どうしを挿入により嵌合することで前記プラグ及びレセプタクルは接続され、
前記レセプタクル外包体及びプラグ外包体の外周面には、前記第１係合部及び第２係合部のそれぞれが係合する凹部が各々周方向に沿って延設され、
前記把持部は、前記第１係合部及び前記第２係合部が、前記プラグ及びレセプタクルのそれぞれの凹部に係合した際に、前記軸線に対して４５度未満の角度を形成する位置に配置される、
請求項１記載のケーブル接続器用引抜工具。
【請求項３】
前記第１係合部及び第２係合部のそれぞれは、前記凹部に内嵌する断面Ｕ字状をなす、
請求項２記載のケーブル接続器用引抜工具。
【請求項４】
前記嵌合凸部の外周面は複数本の突条が断面鋸歯状に連続するように形成され、
前記嵌合凹部の内周面は前記各突条の頂部に嵌装される部分が直円筒状に形成されている請求項２又は３のいずれか一項に記載のケーブル接続器用引抜工具。
【請求項５】
雌端子をゴム系材料からなるレセプタクル外包体によって被覆したレセプタクルと、雄端子をゴム系材料からなるプラグ外包体によって被覆したプラグとの対からなり、前記レセプタクル外包体及びプラグ外包体の外周面には各々周方向に沿って凹部が形成されるとともに、前記レセプタクル外包体及びプラグ外包体の先端部のそれぞれに設けられた嵌合凸部及び嵌合凹部を嵌合することにより線状に接続されたケーブル接続器に、ケーブル接続器用引抜工具を用いて前記レセプタクル及び前記プラグの一方を引き抜くケーブル接続器の引き抜き方法であって、
前記ケーブル接続器用引抜工具は、
先端部及び基端部を有し、接続された前記プラグ及びレセプタクルの一方の凹部に係合する第１係合部が当該先端部に設けられ、把持部が当該基端部に設けられたベース部材と、
先端部及び基端部を有し、当該基端部で前記ベース部材に回動自在に軸着されるとともに、当該先端部に、接続された前記プラグ及びレセプタクルの他方の凹部に係合する第２係合部が設けられた回動アーム部材と、
を有し、
前記第１係合部及び前記第２係合部が前記プラグ及びレセプタクルのそれぞれに係合した際に、前記ベース部材が、接続された前記レセプタクル及びプラグの軸線に対して、当該ベース部材の先端部側から基端部側に向かって漸次離間して配置されるとともに、前記把持部が前記軸線に対して４５度未満の角度を形成する位置に配置され、
前記把持部を前記軸線に接近させることで、互いに離間する方向に移動する前記第１係合部及び第２係合部を介して、前記レセプタクル及び前記プラグの一方を引き抜く、
ケーブル接続器の引き抜き方法。
【請求項６】
雌端子をゴム系材料からなるレセプタクル外包体によって被覆したレセプタクルと、雄端子をゴム系材料からなるプラグ外包体によって被覆したプラグとの対からなり、前記レセプタクル外包体及びプラグ外包体の先端部のそれぞれに設けられた嵌合凸部及び嵌合凹部を嵌合することにより線状に接続されたケーブル接続器であって、
前記レセプタクル外包体及びプラグ外包体の外周面には、各々の周方向に沿って凹部が形成され、
先端部及び基端部を有し、前記レセプタクル外包体及びプラグ外包体における外周面の一方の凹部に係合する前記第１係合部が当該先端部に設けられ、当該基端部に、把持部が設けられたベース部材と、
先端部及び基端部を有し、第２係合部が当該先端部に設けられ、当該基端部が、前記ベース部材に回動自在に軸着された回動アーム部材と、
を有し、
前記第１係合部及び前記第２係合部が前記プラグ及びレセプタクルのそれぞれに係合した際に、前記ベース部材が、接続された前記レセプタクル及びプラグの軸線に対して、当該ベース部材の先端部側から基端部側に向かって漸次離間して配置され、前記把持部が前記軸線に対して４５度未満の角度を形成する位置に配置されるケーブル接続器用引抜工具によって、前記レセプタクル及び前記プラグの一方が引き抜き可能なケーブル接続器。
【発明の詳細な説明】
【技術分野】
【０００１】
本発明は、ケーブルどうしの接続部分に用いられるケーブル接続器の脱着を容易に行うケーブル接続器用引抜工具、ケーブル接続器の引き抜き方法及びケーブル接続器に関する。
【背景技術】
【０００２】
レセプタクルとプラグを用いてケーブルどうしを接続するケーブル接続器では、強固に接続して防水性を確保する必要がある。接続器が屋外配線、特に、港、飛行場に布設される航空照明用配線等としての屋外配線に使用される場合、太陽光線に晒されることは勿論のこと、海風、海水等の過酷な条件下での使用が想定される。
【０００３】
このため、航空照明用配線に使用される場合では、ソーラーシステム等に用いられる一般の屋外配線と比較して更なる高防水性の確保が必要となり、より強固な接続が求められている。
【０００４】
しかし、ケーブルどうしを強固に接続する接続器であればあるほど、プラグ及びレセプタクルの一方を他方から引き抜く際には、必要以上の力を加える必要がある。
【０００５】
このため、その作業の際に、プラグとレセプタクルを捻ったり、曲げたりしながら引き抜くこととなり、接続器、つまり、プラグ又はレセプタクルの変形や破損を生じさせてしまう虞がある。
【０００６】
この問題を解消するために、例えば、特許文献１に示すようなコネクタ脱着工具を用いてプラグ及びレセプタクルの一方から他方を引き抜くことが考えられている。このコネクタ脱着工具では、互いの一端部が接離自在となるようにベースブラケットの他端部にコネクタ抜き取り用レバーが回動自在に取り付けられている。このベースブラケットの一端部には、係合凹部でレセプタクルコネクタに係合する保護プレートが設けられる。一方、コネクタ抜き取り用レバーの一端部にはプラグコネクタに係合するリング係合壁が設けられている。これらベースブラケットとコネクタ抜き取り用レバーは離間する方向に圧縮コイルバネにより付勢されている。また、コネクタ抜き取り用レバーには、回動することによって、圧縮コイルバネの付勢力に抗してベースブラケットとコネクタ抜き取り用レバーとを接近させる作動用レバーが取り付けられている。このコネクタ脱着工具を用いて、レセプタクルコネクタからプラグコネクタを引き抜く際には、レセプタクルコネクタに対して、コネクタ脱着工具をスライド移動して、係合凹部をレセプタクルコネクタに係合させ、リング係合壁をプラグコネクタに係合させる。そして、作動レバーの一端部を、レセプタクルコネクタが取り付けられている面に当接させて、付勢力によって作動レバーが回動することで、作動レバーはコネクタ抜き取りレバーを回動させる。これにより、保護プレートの係合凹部に対してコネクタ抜き取りレバーのリング係合壁が離間する方向に移動し、これら係合凹部とリング係合壁とを介して、レセプタクルコネクタからプラグコネクタが離間する。
【先行技術文献】
【特許文献】
【０００７】
【特許文献１】特開２００３−１７２１１号公報
【発明の概要】
【発明が解決しようとする課題】
【０００８】
しかしながら、従来のコネクタ脱着工具では、接続器のレセプタクルとプラグの接続方向に対して垂直に工具を設置して引き抜き作業を行う。このため、引き抜き作業を行う際に、コネクタ脱着工具の長さ程度の設置スペースが必要となる。航空照明用配線、具体液には、滑走路の脇に配設される誘導灯の配線として、滑走路脇のハンドホール内に収容される場合、ハンドホールという限られたスペース内での引き抜き作業は煩雑となる。
【０００９】
さらに、接続器の接続方向に対して垂直に配置されるコネクタ脱着工具において、作動レバーを介して圧縮緒コイルバネによりプラグをレセプタクルに対して接続方向に離間させるため、その引き抜き作業には、大きな引き抜き力が必要となり、更に手間が掛かる。
【００１０】
本発明はかかる点に鑑みてなされたものであり、ケーブル接続器であるプラグ及びレセプタクルを変形させることなく、狭小なスペースであってもプラグ及びレセプタクルの一方から他方を容易に引き抜くことができるケーブル接続器用引抜工具、ケーブル接続器及びケーブル接続器の引き抜き方法を提供することを目的とする。
【課題を解決するための手段】
【００１１】
本発明のケーブル接続器用引抜工具の一つの態様は、ケーブル接続器において線状に接続されたレセプタクル及びプラグの一方を引き抜くケーブル接続器用引抜工具であって、先端部及び基端部を有し、前記プラグ及びレセプタクルの一方に係合する第１係合部が当該先端部に設けられ、把持部が当該基端部に設けられたベース部材と、先端部及び基端部を有し、当該基端部で前記ベース部材或いは把持部に回動自在に軸着されるとともに、当該先端部に、前記プラグ及びレセプタクルの他方に係合する第２係合部が設けられた回動アーム部材と、を有し、前記第１係合部及び前記第２係合部が前記プラグ及びレセプタクルのそれぞれに係合した際に、前記ベース部材が、接続された前記レセプタクル及びプラグの軸線に対して、当該ベース部材の先端部側から基端部側に向かって漸次離間して配置されるとともに、前記把持部が前記軸線に対して４５度未満の角度を形成する位置に配置され、前記第１係合部及び第２係合部は、前記把持部を前記軸線に接近させることにより、互いに離間する方向に移動して前記プラグとレセプタクルとを離間させる構成を採る。
【００１２】
本発明のケーブル接続器の引き抜き方法の一つの態様は、雌端子をゴム系材料からなるレセプタクル外包体によって被覆したレセプタクルと、雄端子をゴム系材料からなるプラグ外包体によって被覆したプラグとの対からなり、前記レセプタクル外包体及びプラグ外包体の外周面には各々周方向に沿って凹部が形成されるとともに、前記レセプタクル外包体及びプラグ外包体の先端部のそれぞれに設けられた嵌合凸部及び嵌合凹部を嵌合することにより線状に接続されたケーブル接続器に、ケーブル接続器用引抜工具を用いて前記レセプタクル及び前記プラグの一方を引き抜くケーブル接続器の引き抜き方法であって、前記ケーブル接続器用引抜工具は、先端部及び基端部を有し、接続された前記プラグ及びレセプタクルの一方の凹部に係合する第１係合部が当該先端部に設けられ、把持部が当該基端部に設けられたベース部材と、先端部及び基端部を有し、当該基端部で前記ベース部材に回動自在に軸着されるとともに、当該先端部に、接続された前記プラグ及びレセプタクルの他方の凹部に係合する第２係合部が設けられた回動アーム部材と、を有し、前記第１係合部及び前記第２係合部が前記プラグ及びレセプタクルのそれぞれに係合した際に、前記ベース部材が、接続された前記レセプタクル及びプラグの軸線に対して、当該ベース部材の先端部側から基端部側に向かって漸次離間して配置されるとともに、前記把持部が前記軸線に対して４５度未満の角度を形成する位置に配置され、前記把持部を前記軸線に接近させることで、互いに離間する方向に移動する前記第１係合部及び第２係合部を介して、前記レセプタクル及び前記プラグの一方を引き抜くようにした。
【００１３】
本発明のケーブル接続器の一つの態様は、雌端子をゴム系材料からなるレセプタクル外包体によって被覆したレセプタクルと、雄端子をゴム系材料からなるプラグ外包体によって被覆したプラグとの対からなり、前記レセプタクル外包体及びプラグ外包体の先端部のそれぞれに設けられた嵌合凸部及び嵌合凹部を嵌合することにより線状に接続されたケーブル接続器であって、前記レセプタクル外包体及びプラグ外包体の外周面には、各々の周方向に沿って凹部が形成され、先端部及び基端部を有し、前記レセプタクル外包体及びプラグ外包体における外周面の一方の凹部に係合する前記第１係合部が当該先端部に設けられ、当該基端部に、把持部が設けられたベース部材と、先端部及び基端部を有し、第２係合部が当該先端部に設けられ、当該基端部が、前記ベース部材に回動自在に軸着された回動アーム部材と、を有し、前記第１係合部及び前記第２係合部が前記プラグ及びレセプタクルのそれぞれに係合した際に、前記ベース部材が、接続された前記レセプタクル及びプラグの軸線に対して、当該ベース部材の先端部側から基端部側に向かって漸次離間して配置され、前記把持部が前記軸線に対して４５度未満の角度を形成する位置に配置されるケーブル接続器用引抜工具によって、前記レセプタクル及び前記プラグの一方が引き抜き可能な構成を採る。
【発明の効果】
【００１４】
本発明によれば、ケーブル接続器であるプラグ及びレセプタクルを変形させることなく、狭小なスペースであってもプラグ及びレセプタクルの一方から他方を容易に引き抜くことができる。
【図面の簡単な説明】
【００１５】
【図１】本発明の実施の形態１に係るケーブル接続器用引抜工具を示す左側面図
【図２】同ケーブル接続器用引抜工具の右側面図
【図３】同ケーブル接続器用引抜工具の正面図
【図４】同ケーブル接続器用引抜工具の平面図
【図５】同ケーブル接続器用引抜工具の底面図
【図６】同ケーブル接続器用引抜工具の斜視図
【図７】同ケーブル接続器用引抜工具が用いられるケーブル接続器を示す図
【図８】図７に示すケーブル接続器のレセプタクルの説明に供する図
【図９】図７に示すケーブル接続器のプラグの説明に供する図
【図１０】同ケーブル接続器用引抜工具の動作を説明するための図
【図１１】同ケーブル接続器用引抜工具の動作を説明するための図
【図１２】本発明の実施の形態２に係るケーブル接続器用引抜工具を示す左側面図
【図１３】同ケーブル接続器用引抜工具の右側面図
【発明を実施するための形態】
【００１６】
以下、本発明の実施の形態について、図面を参照して詳細に説明する。
【００１７】
図１は本発明の実施の形態１に係るケーブル接続器用引抜工具を示す左側面図であり、図２は同ケーブル接続器用引抜工具の右側面図であり、図３は同ケーブル接続器用引抜工具の正面図であり、図４は同ケーブル接続器用引抜工具の平面図である。また、図５は同ケーブル接続器用引抜工具の底面図であり、図６は同ケーブル接続器用引抜工具の斜視図である。図７は、同ケーブル接続器用引抜工具が用いられるケーブル接続器を示す図である。
【００１８】
図１〜図６に示すケーブル接続器用引抜工具１００は、図７に示すケーブル接続器１０において接続されたレセプタクル２０とプラグ３０とを離間して接続状態を解除するために用いられる。言い換えれば、ケーブル接続器用引抜工具１００は、レセプタクル２０及びプラグ３０の一方を他方から引き抜くために用いられる。
【００１９】
ケーブル接続器用引抜工具１００は、先端部（ベース先端部）１３１に第１係合部１１０が設けられるとともに基端部（ベース基端部）１３２に把持部１２０が形成されたベース部材１３０と、基端部（アーム基端部）１５１でベース部材１３０に回動自在に軸着され、先端部（アーム先端部）１５２に第２係合部１４０が設けられた回動アーム部材１５０とを有する。
【００２０】
ベース部材１３０は、先端部１３１から基端部１３２まで所定の長さを有し、先端部１３１には、第１係合部１１０がベース部材１３０から正面側に屈曲して突設されている。
【００２１】
ここでは第１係合部１１０は、ベース部材１３０の先端部１３１から左右両側に湾曲して延びる断面円弧状をなしている。具体的には、第１係合部１１０は、筒状体の周壁の一部を軸方向に沿って切り欠いた形状をなし、ここでは、正面側に開口する断面Ｕ字状をなしている。
【００２２】
第１係合部１１０は、係合相手である被係合部（本実施の形態では図７に示す凹部２７、３７）の形状に対応して形成される。ここでは、第１係合部１１０のＵ字状の内周面における半円状部分の内径Ｌ１（図４参照）は、係合相手であるケーブル接続器１０（図７参照）におけるプラグ３０及びレセプタクル２０の凹部２７、３７の少なくとも一方の周面状の底面の外形に対応した長さとなっている。第１係合部１１０は、プラグ３０及びレセプタクル２０の凹部２７、３７の少なくとも一方に、凹部２７、３７の開口側から外嵌する。
【００２３】
第１係合部１１０は、第２係合部１４０と上下方向で所定間隔を空けて並び、且つ、同じ方向（正面側）に開口して配置されている。第１係合部１１０は、第２係合部１４０から最も離れた端部１１２で、ケーブル接続器１０（図７参照）において上下方向で接続されるプラグ３０或いはレセプタクル２０の一方に、引き抜き方向で係合する。
【００２４】
なお、第１係合部１１０では、Ｕ字形状としたが、プラグ３０或いはレセプタクル２０の一方に、この一方が他方に対して離間する方向で係合する形状で有れば、Ｃ字状、半円弧状等のどのような形状でもよい。すなわち、第１係合部１１０は、プラグ３０及びレセプタクル２０の一方に掛合して押圧することにより他方から離間させる端部１１２を有する形状であればどのように形成されてもよい。
【００２５】
ベース部材１３０は、右側面視或いは左側面視して、第１係合部１１０の突出方向に対して斜めに延出するように形成されている。具体的には、ベース部材１３０は、第１係合部１１０から背面側に向かって下方に傾斜して延在する。このベース部材１３０は、ケーブル接続器用引抜工具１００を、接続されたレセプタクル２０とプラグ３０にセットする際に、これらレセプタクル２０及びプラグ３０の軸線Ｃに対して、先端部側から基端部側に向かって漸次離間して配置される。
【００２６】
このベース部材１３０の基端部１３２には把持部１２０が連続して一体的に形成されている。
【００２７】
把持部１２０は、作業者が握る部分であり、所定の長さを有し、その背面部分１２０ｂには、長手方向に沿って複数の凹凸部が形成されている。これらの凹凸部は作業者の指の形状に対応して形成されており、作業者の指をかけやすく、把持部１２０を握りやすくしている。この把持部１２０は、ケーブル接続器用引抜工具１００を接続されたレセプタクル２０とプラグ３０にセットした際に、軸線Ｃに対して４５度未満の角度を形成する位置に配置される。ここでは、把持部１２０において長手方向に延びる把持部１２０の中心線Ｃ１が軸線Ｃに対して４５度未満の角度を形成する。
【００２８】
なお、この把持部１２０は、第１係合部１１０、ベース部材１３０とともに金属板を加工することにより形成されている。
【００２９】
詳細には、把持部１２０では、図１に示すように、長尺の把持本体板１２０ａにおいて長手方向に沿って延在する一方の辺部（背面側の辺部）の上端部を折曲して背面部分１２０ｂが形成されている。なお、把持本体板１２０ａの背面側の辺部には、長手方向に沿って、複数の凹部を形成することで複数の凹凸部が形成されている。
【００３０】
背面部分１２０ｂは、把持本体板１２０ａに対して直交しており、ベース部材１３０側の端面１２４は、後述するストッパ１５５の当接面となっている。
【００３１】
また、図１に示すように、ベース部材１３０では、把持部１２０と連続する基端部１３２に、軸着部１６０を介して回動アーム部材１５０が回転自在に取り付けられている。
【００３２】
軸着部１６０は、ベース部材１３０に回動アーム部材１５０の基端部１５１を回動自在にかしめてなる。
【００３３】
回動アーム部材１５０は、ここでは、ベース部材１３０から正面側下方に向かって延びるように取り付けられている。回動アーム部材１５０の全長は、ベース部材１３０の全長よりも長い。
【００３４】
回動アーム部材１５０は、把持部１２０の正面側で回動自在である。回動アーム部材１５０は、ストッパ１５５によって正面側への回動を規制されるとともに、付勢部材であるバネ１７０によって、その先端部１５２が正面側に付勢されている。
【００３５】
回動アーム部材１５０の先端部１５２に設けられた第２係合部１４０は、第１係合部１１０と同様に形成されている。具体的には、第２係合部１４０は、回動アーム部材１５０の先端部１５２から左右両側に湾曲して延びる断面円弧状をしている。具体的には、第２係合部１４０は、筒状体の周壁の一部を軸方向に沿って切り欠いた形状をなし、ここでは、正面側に開口する断面Ｕ字状をなしている。
【００３６】
第２係合部１４０は、第１係合部１１０と同様のものであり、係合相手である被係合部（本実施の形態では凹部２７、３７）の形状に対応して形成される。
【００３７】
第２係合部１４０のＵ字状の内周面における半円状部分の内径Ｌ２（図５参照）は、係合相手であるケーブル接続器１０（図７参照）におけるプラグ３０及びレセプタクル２０の凹部２７、３７の少なくも一方における周面状の底面の外径に対応した長さとなっている。第２係合部１４０は、プラグ３０及びレセプタクル２０の凹部２７、３７の少なくとも一方に、凹部３７、２７の開口側から外嵌する。
【００３８】
第２係合部１４０は、第１係合部１１０から最も離れた端部１４２で、ケーブル接続器１０（図７参照）において上下方向で接続されるプラグ３０或いはレセプタクル２０の一方に、引き抜き方向で係合する。
【００３９】
なお、第２係合部１４０では、Ｕ字形状としたが、プラグ３０或いはレセプタクル２０の一方に、この一方が他方に対して離間する方向で係合する形状で有れば、どのような形状でもよい。すなわち、第２係合部１４０は、プラグ３０及びレセプタクル２０の一方に係合して押圧することにより他方から離間させる端部１４２を有する形状であれば、Ｃ時字状、円弧状等のどのような形状でもよい。
【００４０】
バネ１７０は、図１に示すように、コイル部と、コイル部から互いに離間する方向に延びる線状部とを有したねじりばねである。バネ１７０において、コイル部は軸着部１６０の軸部分に外嵌されている。また、バネ１７０において、コイル部から延びる２つの線状部は、回動アーム部材１５０及び把持部１２０によって、互いに離間する方向への移動が規制されている。
【００４１】
詳細には、バネ１７０は、線状部の一方を回動アーム部材１５０に固定し、線状部の他方を把持部１２０の背面部分１２０ｂの裏面に掛止させている。
【００４２】
これにより、バネ１７０は、回動アーム部材１５０の先端側を、把持部１２０から離間する方向に付勢している。言い換えれば、バネ１７０は、ケーブル接続器用引抜工具１００において、ベース部材１３０の第１係合部１１０と、回動アーム部材１５０の第２係合部１４０とが互いに接近する方向に付勢している。
【００４３】
なお、ストッパ１５５は、ベース部材１３０の背面部と対向する位置に位置するように、回動アーム部材１５０の基端部１５１からベース部材１３０の背面部側に突出し、且つ折曲して形成されている。ストッパ１５５は、ベース部材１３０に対して回動アーム部材１５０が回動し、回動アーム部材１５０の先端部１５２が正面側に移動する際に、所定の回動範囲で、端面１２４に当接する。これにより、ストッパ１５５は、先端部１５２の第２係合部１４０が第１係合部１１０に近づく方向に移動することを規制する。
【００４４】
ここで、ケーブル接続器用引抜工具１００が用いられるケーブル接続器１０（図７参照）について説明する。
【００４５】
図７に示すように、ケーブル接続器１０では、互いに嵌合可能なレセプタクル２０とプラグ３０との対からなる。
【００４６】
レセプタクル２０はケーブル２の一端に設けられ、プラグ３０はケーブル２とは別のケーブル３の一端に設けられている。
【００４７】
図８は、図７に示ケーブル接続器のレセプタクルの説明に供する図であり、図８Ａは、同レセプタクルの側面図であり、図８Ｂは、同レセプタクルの側断面図である。
【００４８】
図７及び図８に示すレセプタクル２０では、ケーブル２に接合されたスリーブ端子（雌端子）２１が、先端部をハウジング２９により被覆された状態で、ゴム系材料（ここでは、熱可塑性エラストマー）製のレセプタクル２０のレセプタクル外包体（以下、「レセプタクル本体」という）２２によって被覆されている。
【００４９】
レセプタクル本体２２の先端側に、ハウジング２９が配置され、レセプタクル本体２２においてハウジング２９が配設された部分が、プラグ３０の嵌合凹部３３に嵌め込まれる嵌合凸部２３となっている。この嵌合凸部２３の先端部２４には、図８Ｂに示すように、スリーブ端子２１の一端部と連通する開口２３ａが形成され、プラグ３０のピン端子（雄端子）３１（図９Ｂ参照）が挿入される。なお、ハウジング２９は変性ＰＰＥ等の難燃性を有する硬質プラスチック材料で形成されている。
【００５０】
嵌合凸部２３の外周面には、プラグ３０の嵌合凹部３３からの抜け出しを防ぐため、先端部２４から基端側にかけて環状の３つの突条２５が形成され、軸方向の断面が鋸歯状となるように連続している。すなわち、各突条２５において、外周面は嵌合凸部２３の基端側方向ほど外部に膨出し、最大径部を経て軸芯側に集束する形状とされている。
【００５１】
また、各突条２５の最大径部となる頂部の外径は、連続する突条２５において嵌合凸部２３の先端側から基端側にいくほど僅かに大きく形成されている。つまり、先端部２４から段部を介して連続する最も右側（嵌合凸部２３の先端側）の突条２５ａよりも、３つの中央に位置する突条２５ｂの方が僅かに頂部の外径が大きく形成されている。さらに、突条２５ｂよりも最も図面上左側（嵌合凸部２３の基端側）に位置する突条２５ｃの方が僅かに頂部の外径が大きく形成されている。また、かかる突条２５の頂部は、軸方向断面が丸みを帯びた形状に形成されている。
【００５２】
また、嵌合凸部２３では、突条２５ｃの基端側に、細溝２６ａを介して、突条２５ｃの外径よりも外径が大きい鍔状の大鍔部２６が形成されている。この大鍔部２６は正面視円形であり、その外径は、嵌合凹部３３の外径と等しく或いは略等しくなるように形成されている。なお、レセプタクル本体２２内におけるケーブル端部は、スリーブ端子２１に接続される部位と基端側で隣り合う部分に防水スリーブ２ａを外嵌した状態で、レセプタクル本体２２に固定されている。
【００５３】
レセプタクル２０のレセプタクル本体２２の外周面には、周方向に沿って延在し、且つ、半径方向外方に開口する溝状の凹部（以下、便宜上「レセプタクル側凹部」とも称する）２７が形成されている。
【００５４】
レセプタクル側凹部２７は、レセプタクル２０のレセプタクル本体２２において嵌合凸部２３の基端側に、嵌合凸部２３の大鍔部２６に隣接して形成され、この大鍔部２６とともに段差を形成する。このレセプタクル側凹部２７には、レセプタクル２０とプラグ３０の一方から他方を容易に引き抜く際に、ケーブル接続器用引抜工具１００の第１係合部１１０及び第２係合部１４０の一方（図１０では第１係合部１１０）が嵌合される。
【００５５】
図９は、図７に示すケーブル接続器のプラグの説明に供する図であり、図９Ａは、同プラグの側面図であり、図９Ｂは、同プラグの側断面図である。
【００５６】
一方、図７及び図９に示すプラグ３０は、基端側からケーブル３が導出されるとともに、先端部として筒状の嵌合凹部３３を有する。
【００５７】
図９に示すように、プラグ３０では、ケーブル３に接合されたピン端子３１がゴム系材料（ここでは、熱可塑性エラストマー）製のプラグ外包体（以下、「プラグ本体」という）３２によって被覆されている。
【００５８】
プラグ本体３２の先端側は、ピン端子３１を囲むようにしてピン端子３１の先端よりもさらに先端方向に延出された筒状をなしている。この筒状部分によってレセプタクル本体２２の嵌合凸部２３が嵌め込まれる嵌合凹部３３が形成されている。
【００５９】
この嵌合凹部３３の内周面では、レセプタクル本体２２の嵌合凸部２３に形成された突条２５の頂部に嵌装される部分が直円筒状に形成されている。また、この嵌合凹部３３の内周面は、内径の異なる三つの円筒部３４ａ，３４ｂ，３４ｃが連続して形成されている。具体的には、嵌合凹部３３の内周面は、奥部の円筒部３４ａ、真ん中に位置する円筒部３４ｂ、先端部に位置する円筒部３４ｃの順に内径を大きくしている。
【００６０】
円筒部３４ａの内径は、嵌合凸部２３の突条２５ａ（図８Ｂ参照）の頂部を、円筒部３４ｂの内径は突条２５ｂ（図８Ｂ参照）の頂部を、円筒部３４ｃの内径は突条２５ｃ（図８Ｂ参照）の頂部をそれぞれ押圧する程度の大きさで形成されている。
【００６１】
この構成により、嵌合凸部２３と嵌合凹部３３との嵌合状態では、突条２５ａは嵌合凹部３３の円筒部３４ａの頂部を、突条２５ｂは円筒部３４ｂの頂部を、突条２５ｃは円筒部３４ｃの頂部をそれぞれ軸心側に押圧する。
【００６２】
このように嵌合凸部２３と嵌合凹部３３とが嵌合すると、嵌合凸部２３と嵌合凹部３３とが突条２５の頂部を介して密着し、レセプタクル本体２２とプラグ本体３２との水密性が確保される。
【００６３】
また、嵌合凹部３３には、図９Ｂに示すように、円筒部３４同士の間に環状の突片部３６が内側に向かって突設されている。この突片部３６は、嵌合凸部２３（図８参照）が嵌合凹部３３に嵌め込まれたとき、嵌合凸部２３の先端部２４の段部及び各突条２５の段部（各頂部により形成される段差部）に引っ掛かるように形成されている。これにより、嵌合凸部２３の先端部２４が所定の位置まで嵌め込まれるとき、先端部２４及び各突条２５のそれぞれの段部に、嵌合凹部３３の各突片部３６が嵌り込み明確な手応えが得られる。
【００６４】
よって、作業者は、嵌合凸部２３を嵌合凹部３３に挿入する際の手応えを目安にして、レセプタクル本体２２とプラグ本体３２とを良好な嵌合状態に接続することができる。なお、プラグ本体３２内におけるケーブル端部は、ピン端子３１に接続される部位と基端側で隣り合う部分に、防水スリーブ３ａを外嵌した状態で、プラグ本体３２に固定されている。
【００６５】
プラグ本体３２の外周面には、周方向に沿って延在し、且つ、半径方向外方に開口する溝状の凹部（以下、便宜上「プラグ側凹部」とも称する）３７が形成されている。
【００６６】
プラグ側凹部３７は、プラグ３０のプラグ本体３２において嵌合凹部３３の基端側に、嵌合凹部３３に隣接して形成され、嵌合凹部３３の基端部分とともに段差を形成している。
【００６７】
このプラグ側凹部３７には、接続中のレセプタクル２０及びプラグ３０の一方から他方を容易に引き抜く際に、ケーブル接続器用引抜工具１００の第１係合部１１０及び第２係合部１４０の一方（図１０では第２係合部１４０）が嵌合される。
【００６８】
このように構成されたプラグ側凹部３７は、レセプタクル２０のレセプタクル本体２２の外周面に形成されるレセプタクル側凹部２７（図７及び図８参照）と異なる溝幅で、プラグ本体３２の外周面に形成されている。
【００６９】
ここでは、レセプタクル２０におけるレセプタクル側凹部２７の溝幅Ｗ１よりもプラグ３０におけるプラグ側凹部３７の溝幅Ｗ２の方が大きい。
【００７０】
これにより、ケーブル同士が接続された状態であっても、作業者は、凹部の幅を視認するだけでどちらのケーブルが、レセプタクル２０が取り付けられたケーブルか、プラグ３０が取り付けられたケーブルかを判別できる。
【００７１】
さらに、レセプタクル２０及びプラグ３０の接続状態において、接続部分に曲げ荷重がかかる場合でも、レセプタクル側凹部２７の溝幅Ｗ１よりもプラグ側凹部３７の溝幅Ｗ２の方が大きいため、レセプタクル側凹部２７とプラグ側凹部３７とを同じ溝幅に構成した場合と比較して、プラグ側凹部３７に掛かる曲げ荷重を分散させることができる。
【００７２】
レセプタクル側凹部２７の溝幅Ｗ１とプラグ側凹部３７の溝幅Ｗ２は、それぞれ第１係合部１１０と第２係合部１４０の上下方向の長さよりも長い。ここでは、第１係合部１１０と第２係合部１４０のそれぞれにおける上下方向の長さＬ３、Ｌ４（図６参照）は、レセプタクル側凹部２７の溝幅Ｗ１と同等の長さで形成されている。
【００７３】
次に、本実施の形態に係るケーブル接続器用引抜工具１００の動作について説明する。
【００７４】
まず、図８に示すレセプタクル２０と、図９に示すプラグ３０とを接続すると、図７に示すように直線状のケーブル接続器１０となる。
【００７５】
このようにレセプタクル２０とプラグ３０とが接続されたケーブル接続器１０において、ケーブル接続器用引抜工具１００を用いて、プラグ３０をレセプタクル２０から引き抜く場合、先ずケーブル接続器１０にケーブル接続器用引抜工具１００をセットする。
【００７６】
図１０は同ケーブル接続器用引抜工具の動作を説明するための図であり、具体的に、図１０は、ケーブル接続器にケーブル接続器用引抜工具をセットした状態を示す図である。
また、図１１は、同ケーブル接続器用引抜工具の動作を説明するための図であり、具体的に、図１１は、図１０のケーブル接続器１０において、ケーブル接続器用引抜工具によりレセプタクルからプラグを引き抜いた状態を示す図である。
【００７７】
図７及び図１０に示すように、接続中のケーブル接続器１０では、レセプタクル２０とプラグ３０とが挿入により互いに嵌合して接続する方向の軸線（プラグ３０とレセプタクル２０の接続方向に沿う線、つまり、ケーブル２、３どうしの軸線である接続軸線に相当）に沿って配置される。つまり、レセプタクル２０とプラグ３０は直線状に強固に接続される。
【００７８】
このようなケーブル接続器１０において、レセプタクル２０とプラグ３０との接続部分１５を挟み、レセプタクル側凹部２７及びプラグ側凹部３７に、第１係合部１１０及び第２係合部１４０を係合させる。
【００７９】
具体的には、ケーブル接続器用引抜工具１００を接続部分１５の側方に配置して、第１係合部１１０をプラグ側凹部３７に対してプラグ側凹部３７の側方から外嵌する。加えて、第２係合部１４０をレセプタクル側凹部２７に対して、レセプタクル側凹部２７の側方から外嵌する。
【００８０】
このとき、ケーブル接続器用引抜工具１００の把持部１２０は、ケーブル接続器１０の接続方向の接続軸線である軸線Ｃに沿って配置されるともに、軸線Ｃに対して４５度の角度を形成する位置に配置される。別言すれば、把持部１２０は、第１係合部１１０及び第２係合部１４０を凹部２７、３７に外嵌した際に、軸線Ｃに対して４５度未満の角度を形成する面に配置される。なお、把持部１２０の配置位置は、軸線Ｃに対して４５度未満の角度を形成する位置に配置されるものであれば、どの位置に配置されるように構成されてもよい。
【００８１】
そして、図１０に示すように、ケーブル接続器１０とケーブル接続器１０にセットされたケーブル接続器用引抜工具１００の双方を包むように握る。このとき、把持部１２０は、ケーブル接続器１０の接続方向の軸線Ｃに対して４５度の角度を形成する位置に配置されているため、作業者は、ケーブル接続器用引抜工具１００を容易に握ることができるとともに、ケーブル接続器１０の外周に指先を掛けやすい。なお、作業者は、ケーブル接続部１００に対して、指先を把持部の凹凸部に掛けて、ケーブル接続器１０の接続部分に母指球付近を当てて包むように握っても良い。
【００８２】
そして、把持部１２０をケーブル接続器１０の軸線Ｃ（図１参照）に接近させるように把持部１２０に荷重Ａを加える。
【００８３】
すると、把持部１２０の移動に伴い、軸着部１６０が支点となって、ベース部材１３０と、回動アーム部材１５０とが相対的に離間する方向に移動する。つまり、ベース部材１３０の先端部１３１の第１係合部１１０と、回動アーム部材１５０の先端部１５２の第２係合部１４０とが相対的に離間する方向に移動する。
【００８４】
このとき、第１係合部１１０は端部１１２でプラグ３０のプラグ側凹部３７の一側壁、つまり、プラグ本体３２の先端面に当接し、プラグ本体３２を軸線Ｃに沿ってレセプタクル２０から引き抜く方向に押圧する。
【００８５】
一方、第２係合部１４０は、端部１４２でレセプタクル２０のレセプタクル側凹部２７の一側壁、つまり、レセプタクル本体２２の先端面に当接し、レセプタクル本体２２を軸線Ｃに沿ってプラグ３０から引き抜く方向に押圧する。
【００８６】
これにより、ケーブル接続器１０には、互いに離間する方向Ｂの力が、軸線Ｃに沿って作用する。
【００８７】
これにより、レセプタクル２０と、プラグ３０とは互いに離間する方向Ｂに移動することとなり、図１１に示すように、レセプタクル２０とプラグ３０とは嵌合状態が解除される。すなわち、ケーブル接続器１０においてレセプタクル２０及びプラグ３０の一方から他方が引き抜かれる。
【００８８】
このようにケーブル接続器用引抜工具１００では、把持部１２０をケーブル接続器１０の軸線Ｃに接近させるように移動させることによって、第１係合部１１０及び第２係合部１４０が、互いに離間する方向Ｂに移動させる。これにより、レセプタクル２０とプラグ３０とを接続方向に沿う軸線に沿って互いに離間する方向Ｂに移動して、互いの接続状態が解除される。
【００８９】
このようにケーブル接続器用引抜工具１００によれば、レセプタクル本体（レセプタクル外包体）２２及びプラグ本体（プラグ外包体）３２の外周面に各々周方向に沿って凹部２７、３７が形成されたケーブル接続器１０のレセプタクル２０とプラグ３０を容易に引き抜くことができる。
【００９０】
つまり、ケーブル接続器用引抜工具１００は、ケーブル２、３の軸線Ｃと把持部１２０とで形成する角度が４５度未満である。よって、ケーブル２、３とケーブル接続器用引抜工具１００を片手で握り、ケーブル接続器１０の軸線Ｃ、つまり、ケーブル２，３の軸線と、把持部１２０を接近させるだけで容易にレセプタクル２０からプラグ３０を引き抜くことができる。
【００９１】
このため、ケーブル接続器１０であるプラグ３０とレセプタクル２０を捻ったり、曲げたりしながら引き抜く必要が無く、ケーブル接続器１０の変形や破損を生じさせてしまうことがない。
【００９２】
また、ケーブル接続器１０の軸線（プラグ３０とレセプタクル２０の接続方向に沿う線、つまり、ケーブル２、３どうしの軸線に相当）Ｃに対して９０度を形成する位置に設置して使用する従来の工具では、ケーブル接続器が非常に狭い場所に設置される場合、両手で作業を行うため、プラグとレセプタクルの引き抜き作業を行いにくい。特に、ケーブル接続器が、工具の長さのスペースが存在しない場合に設置される場合では、プラグとレセプタクルの引き抜き作業できない。
【００９３】
これに対して、本ケーブル接続器用引抜工具１００によれば、ケーブル接続器１０が非常に狭い場所であっても、片手を伸ばしてセットし、かつ握るだけで容易に、ケーブル接続器１０におけるレセプタクル２０からプラグ３０を引き抜く事ができる。つまり、ケーブル接続器１０が航空照明用配線として、滑走路の脇に配設される誘導灯の配線として、滑走路脇のハンドホール内に収容される場合でも、ハンドホールという限られたスペース内での引き抜き作業を容易に行うことができる。
【００９４】
なお、把持部１２０と、軸線Ｃとで形成する角度が、４５度を超える場合、作業者は把持部１２０を握りにくくなり、使い勝ってが悪くなる。
【００９５】
（実施の形態２）
図１２は本発明の実施の形態２に係るケーブル接続器用引抜工具を示す左側面図であり、図１３は同ケーブル接続器用引抜工具の右側面図である。なお、この実施の形態２に係るケーブル接続器用引抜工具は、図１〜図９に示す実施の形態１に対応するケーブル接続器用引抜工具と同様の基本的構成を有しており、同一の構成要素には同一の符号を付し、その説明を省略する。
【００９６】
図１２及び図１３に示すケーブル接続器用引抜工具２００は、ケーブル接続器用引抜工具１００の構成において、ベース部材と把持部とを側面視同一直線状で連続するように形成したケーブル接続器用引抜工具である。
【００９７】
つまり、ケーブル接続器用引抜工具２００では、一端部２３１に第１係合部１１０が設けられたベース部材２３０の他端部２３２に、把持部２２０が、側面視、同一直線状に形成されている。なお、このベース部材２３０には、先端部１５２に第２係合部１４０が設けられた回動アーム部材１５０の基端部が、軸着部１６０を介してベース部材２３０に回動自在に軸着されている。なお、この回動アーム部材１５０は、把持部２２０の正面側で回動自在である。回動アーム部材１５０は、ストッパ１５５によって正面側への回動を規制されるとともに、付勢部材であるバネ１７０によって、その先端部１５２が正面側に付勢されている。このケーブル接続器用引抜工具２００によれば、ケーブル接続器用引抜工具１００と同様の作用効果を得ることができる。
【００９８】
なお、回動アーム部材１５０は、本実施の形態では、ベース部材１３０、２３０の基端部１３２、２３２に軸着部１６０を介して取り付けられた構成としたが、これに限らない。回動アーム部材１５０の先端部１５２の第２係合部１４０が、軸着部１６０を挟んで第１係合部１１０と離間して、且つ、同一の直線、つまり、軸線Ｃを囲むように並ぶ位置で配置される構成であれば、回動アーム部材１５０は、ベース部材１３０或いは把持部１２０、２２０のいずれに回動自在に取り付けられてもよい。例えば、ケーブル接続器用引抜工具１００、２００の構成において、回動アーム部材１５０を、把持部１２０、２２０の後端部に回動自在に軸着し、把持部１２０、２２０をケーブル接続器１０の軸線Ｃに接近させることで、第２係合部１４０と第１係合部１１０とが相対的に離間する方向に移動するようにしてもよい。
【産業上の利用可能性】
【００９９】
本発明に係るケーブル接続器用引抜工具、ケーブル接続器の引き抜き方法及びケーブル接続器は、ケーブル接続器であるプラグ及びレセプタクルを変形させることなく、狭小なスペースであってもプラグ及びレセプタクルの一方から他方を容易に引き抜くことができる効果を有し、特に航空照明用配線のケーブル接続器に用いられるものとして有用である。
【符号の説明】
【０１００】
１０  ケーブル接続器
２０  レセプタクル
２２  レセプタクル本体（レセプタクル外包体）
２３  嵌合凸部
２６  大鍔部
２７  凹部（レセプタクル側凹部）
３０  プラグ
３２  プラグ本体（プラグ外包体）
３３  嵌合凹部
３７  凹部（プラグ側凹部）
１００、２００  ケーブル接続器用引抜工具
１１０  第１係合部
１１２、１４２  端部
１２０、２２０  把持部
１３０、２３０  ベース部材
１３１、２３１  ベース部材の先端部
１３２、２３２  ベース部材の基端部
１４０  第２係合部
１５０  回動アーム部材
１５１  回動アーム部材の基端部
１５２  回動アーム部材の先端部
【図１】
0005216120.tif 000002
【図２】
0005216120.tif 000003
【図３】
0005216120.tif 000004
【図４】
0005216120.tif 000005
【図５】
0005216120.tif 000006
【図６】
0005216120.tif 000007
【図７】
0005216120.tif 000008
【図８】
0005216120.tif 000009
【図９】
0005216120.tif 000010
【図１０】
0005216120.tif 000011
【図１１】
0005216120.tif 000012
【図１２】
0005216120.tif 000013
【図１３】
0005216120.tif 000014